(57)【要約】【課題】外部電磁波ノイズの影響を最小限に抑え、本来の測定波形、測定値と近似する測定結果が得られるようにする。【解決手段】被測定用の電気信号を抽出する電気信号抽出装置において、検出すべき電子回路の電気信号被抽出部の端子に接続する２本の細い金属線材３と、この金属線材３の先端把持部７を開閉可能に保持する金属製保持部材２と、上記金属線材３を開閉させる開閉機構とを備え、上記金属線材３で抽出した電気信号を上記保持部材２を介して測定機器類に入力させる。【選択図】図１
2004340956.tif 000002
【特許請求の範囲】
【請求項１】
被測定用の電気信号を抽出する電気信号抽出装置において、検出すべき電子回路の電気信号被抽出部の端子に接続する２本の細い金属線材と、この金属線材の先端把持部を開閉可能に保持する金属製保持部材と、上記金属線材を開閉させる開閉機構とを備え、上記金属線材で抽出した電気信号を上記保持部材を介して測定機器類に入力させることを特徴とする電気信号抽出装置。
【請求項２】
上記保持部材が環状に形成されている、請求項１に記載の電気信号抽出装置。
【請求項３】
上記開閉機構は、上記保持部材内に保持された2本の細い金属線を上記先端把持部が開くように付勢しておき、これら金属線を保持部材から出し入れすることにより開閉する、請求項２に記載の電気信号抽出装置。
【請求項４】
前記保持部材には金属筒を接続し、上記金属線材で抽出した電気信号を上記金属筒と保持部材を介して測定機器類に入力させることを特徴とする、請求項１記載の電気信号抽出装置。
【請求項５】
前記電気信号抽出部の端部にリード線を介してプローブに形成されたソケットに挿入されるべき端子を設け、この端子のリード線側の端部に引き抜き手段を設け、上記ソケットに挿入された端子を上記引き抜き手段によって引き抜き可能としたことを特徴とする電気信号抽出装置。
【発明の詳細な説明】
【技術分野】
【０００１】
本発明は電気信号抽出装置、詳しくは電子・電気機器の検査、調整、修理等の際に、これらの機器の回路部分から測定用電気信号を抽出する電気信号抽出装置に関する。
【背景技術】
【０００２】
印刷された電子回路基板上等に装着される小型電子部品の端子から、当該電子・電気機器の検査、調整、修理等のために測定用電気信号を抽出するためには、電気信号抽出装置によって測定機器信号入力部と被抽出部とを電気的に接続させる必要がある。
【０００３】
従来の電気信号抽出装置の構造は、電子回路の電気信号抽出部の端子を把持する把持部を先端に有する金属線をそのまま後部に延長し、中間部にはバネ等を利用した引っ張り、押し出し機構を付加し、さらに最後部まで延長して測定機器入力部と電気導線で接続するものであった（例えば、特許文献１参照）。
【特許文献１】特開２００１−５０９７８公報
【発明の開示】
【発明が解決しようとする課題】
【０００４】
しかしながら、上記構造では、把持機能を構成するための金属線材３の全長は把持機能そのものに最低限必要な長さの１０倍〜２０倍程度になっていた。しかし、この数年、電子技術が飛躍的に進歩し、オシロスコープのプローブ先端部から電気信号抽出装置などを経て回路端子に至る金属線材が長ければ長いほど、その周囲の外部電磁波ノイズを拾うこと、またこの部分が接続途中の電気回路素子として作動することによって、測定結果が本来の測定波形、測定値と大きく異なり、測定技術の進歩にとって大きな障害になっている。
【０００５】
本発明は上記問題点を解消し、外部電磁波ノイズの影響を最小限に抑え、本来の測定波形、測定値と近似する測定結果が得られるようにした電気信号抽出装置を提供することをその課題とする。
【課題を解決するための手段】
【０００６】
前記課題を解決するため、本発明に係る電気信号抽出装置は、被測定用の電気信号を抽出する電気信号抽出装置において、検出すべき電子回路の電気信号被抽出部の端子に接続する２本の細い金属線材と、この金属線材の先端把持部を開閉可能に保持する金属製保持部材と、上記金属線材を開閉させる開閉機構とを備え、上記金属線材で抽出した電気信号を上記保持部材を介して測定機器類に入力させることを特徴とする。
【０００７】
なお、上記保持部材が環状に形成されているのが好ましい。
【０００８】
また、上記開閉機構は、上記保持部材内に保持された2本の細い金属線を上記先端把持部が開くように付勢しておき、これら金属線を保持部材から出し入れすることにより開閉するようにするのが好ましい。
【０００９】
さらに、前記保持部材には金属筒を接続し、上記金属線材で抽出した電気信号を上記金属筒と保持部材を介して測定機器類に入力させるようにしてもよい。
【００１０】
さらに、前記電気信号抽出部の端部にリード線を介してプローブに形成されたソケットに挿入されるべき端子を設け、この端子のリード線側の端部に引き抜き手段を設け、上記ソケットに挿入された端子を上記引き抜き手段によって引き抜き可能としてもよい。
【発明を実施するための最良の形態】
【００１１】
図１は本発明に係る電気信号抽出装置の一例を示すもので、この電気信号抽出装置は、装置本体１の前端に金属製の環状保持部材２と環状保持部材に接続する金属筒２ａとを設け、該保持部材２の内部に２本の細い針金状の金属線材３を通すとともに、装置本体１には上記金属線材３を開閉させる開閉機構を備えている。
【００１２】
すなわち、装置本体１の後部には指当て部６が設けられ、前端には銅、ニッケル等の導電性金属からなる環状保持部材２が設けられている。この保持部材２の内部には２本の細い金属線材３が通っている。これらの金属線材３はスチール等の導電性の線材で、両線材３の先端は屈曲して把持部７が形成され、基部８は一体に接合されてＶ字形になっており、固有の弾発力によって先端把持部７は常に開くように付勢されている。このため、保持部材２の内面には常に金属線材３が接触している。
【００１３】
次に、上記Ｖ字形金属線材３は操作レバー９のレバー操作によって開閉する開閉機構に連結している。すなわち、上記金属線材３の基部はスライド部材１０の前端に固定され、スライド部材１０は、装置本体１の指当て部６と保持部材２との間に形成されたスライド面１１に沿って、上記金属線材３を保持部材２の前方に前進後退可能に配置されている。なお、上記スライド面１１には前後方向に長いスライド孔１２が貫通形成され、スライド孔１２には上記スライド部材１０の両側に形成された側片１３を連結する連結軸１４がスライド可能に係合している。したがって、スライド部材１０は上記両側片１３と連結軸１４とによってスライド面１１を包囲するように構成されているから、スライド時に必要以上に上下左右に振れないようになっている。また、装置本体１の中央部には、操作レバー９の中間部が支軸１５によって回動可能に支持されている。操作レバー９の一端の指掛け部は装置本体１の指当て部６に対向し、常時指当て部６から遠ざかるようにバネ付勢されている。また、操作レバー９の他端は上記スライド部材１０の後端に軸１６を介して連結されている。
【００１４】
また、装置本体１と操作レバー９とスライド部材１０は絶縁体によって構成されている。
【００１５】
上記構成によれば、２本の金属線材３は常時互いに離反して開くように付勢されているが、使用前はスライド部材１０が後退位置にあるので、図１に実線で示すように、金属線材３の先端把持部７は保持部材２の内側で互いに近接して閉じるように保持されている。
【００１６】
このように、抽出された電気信号は、金属線材３の先端把持部７から保持部材２を経てプローブ１７に送られる。金属線材３の先端把持部７と保持部材２との間の距離はそれぞれ小さいから、全体としても抽出してからプローブに至るまでの距離を格段に短くすることができる。このように、電気信号伝導金属部分が非常に短いから、周囲の外部電磁波ノイズを拾ったり、この部分が接続途中の電気回路素子として作動したりする可能性が小さくなるから、外部電磁波ノイズの影響を最小限に抑え、本来の測定波形、測定値と近似する測定結果を得ることができる。
【００１７】
上記電気信号抽出装置を使用する場合は、図２に示されるように、装置本体１の前端には同材質の金属筒２ａの一端を接続し、金属筒２ａの他端は開口しておく。なお、保持部材２と金属筒２ａとは連続一体に形成してもよい。
【００１８】
次に、上記電気信号抽出装置の実際の使用態様について説明すると、図３に示されるように、指当て部６に親指を当てて人差し指等で操作レバー９の指掛け部１８を引くことにより、操作レバー９は支軸１５を中心に回動して上記指当て部６が後方に、反対側が前方に作動するので、同時にスライド部材１０も前方にスライド移動する。これに伴ない、金属線材３は押出されて前進する。金属線材３の先端は保持部材２から前方に突出する。金属線材３は常時開くように付勢されているから、図１に点線で示すように、前進することによりその先端側部分は保持部材２から離れるので、保持が解除され、互いに離反して開く。金属線材３の先端把持部７が開いた状態で、電子・電気機器３６の電子回路の電気信号被抽出部端子３７の両側に先端把持部７を置き、操作レバー９の指掛け部１８から力を抜くと、操作レバー９は支軸１５を中心に逆方向に回動して指掛け部１８が前方に、反対側１９が後方に作動するので、同時にスライド部材１０も前方にスライド移動し、これに伴ない、金属線材３は引き戻されて後退するから、金属線材３の先端把持部７は保持部材２によって近接するように絞られて閉じ状態となる。
【００１９】
この状態で金属筒２ａの開口部にはプローブ１７の探針１７ａを挿入する。探針１７ａの先端は尖っているので、簡単かつ確実に挿入できる。これにより、上記探針から電気信号を抽出することができる。抽出された電気信号は、金属線材３の先端把持部７から保持部材２、金属筒２ａを経てプローブ１７に入力され、測定機器類によって測定される。
【００２０】
このように、抽出された電気信号は、金属線材３の先端把持部７から保持部材２、金属筒２ａを経てプローブ１７に送られる。金属線材３の先端把持部７と保持部材２・金属筒２ａとの間の距離はそれぞれ小さいから、全体としても抽出してからプローブに至るまでの距離を極端に短く、実際に約２ｍｍ程度に短縮することができる。このように、電気信号伝導金属部分が非常に短いから、周囲の外部電磁波ノイズを拾ったり、この部分が接続途中の電気回路素子として作動したりする可能性が小さくなるから、外部電磁波ノイズの影響を最小限に抑え、本来の測定波形、測定値と近似する測定結果を得ることができる。
【００２１】
なお、保持部材２は環状であるものに限定されない。
【００２２】
また、金属線材の開閉機構は必ずしも金属線材をその長手方向に移動させるものに限定されない。例えば、２本の金属線材をその中心線のまわりに回転させることによって開閉する構成でもよい。
【００２３】
さらに、図４に示されるように、保持部材２には、上述の金属筒２ａに代え、上記保持部材２にリード線４を介して端子５を連結し、端子５を図５のように、測定機器類に接続するプローブ１７のソケット２０に挿入するように構成してもよい。
【００２４】
なお、上記端子５の金属線側の端部には、引き抜き糸２１が固定されている。端子５に引き抜き糸２１を固定するには、例えば図６及び図７に示されるように、端子５を金属製の外筒とし、この外筒５の内側にリード線４の端部と金属製の内筒２４を挿入配置する。そして、リード線４と内筒２４とを外筒５にハンダ付けによって固定する。ハンダ２７により、リード線４と内筒２４は端子５に固定される。さらに、内筒２４の内部に合成樹脂製の細線による引き抜き糸２１を貫通させ、図８に示すように、その一端２１ａを結んだり、溶かしたりすることにより内筒２４の内径よりも大きくする。そして、他端を内筒２４から突出させればよい。なお、端子５の端部は適宜の蓋で閉じればよい。
【００２５】
図８のように、端子５をプローブ１７のソケット２０に挿入したり取り出したりすることを繰り返すうちについにはリード線４が切れてしまうことがある。ソケット２０の内部に端子５が深く挿入された状態で切れたときは、端子５はソケット２０の内部に取り残されてしまう。この場合はピンセット等で引き抜き糸２１を掴んで引けば、端子５を容易且つ確実にソケット２０から抜き出すことができる。その際、プローブ１７にはなんら傷がつくことがない。
【００２６】
なお、電気信号抽出装置は上述の構成に限定されない。端子をプローブのソケットに挿入する構造のものであれば、他のどのような構成のものであってもよい。また、引き抜き手段は絶縁性を有するものが好ましいが、上記引き抜き糸２１のような糸状のものに限定されない。
【００２７】
なお、筒状の端子５の内部に空間を形成しておき、その内部に引き抜き手段を挿入して上記空間に係止又は固定させることにより、上記ソケットに挿入された端子を引き出し可能とするようにするのが好ましい。
【００２８】
例えば、図９（ａ）のように、内筒２４を外筒５よりも短くして空間３０を形成しておき、引き抜き時には、先端に係止顎２６を形成した引き抜き手段２１を内筒２４から入れて係止顎２６を内筒２４の先端に引っ掛けて端子５をソケット０から引き抜く構成としてもよい。
【００２９】
さらには、同図（ｂ）のように、リード線４の側方を単なる空間３０として形成し、必要なときには、引き抜き手段２１の先端に接着剤２９を付着させて上記空間内に挿入し、必要なときには、接着剤が端子に接着固定された後に、引き抜き手段２８を端子５とともにソケット２０から引き抜くようにしてもよい。
【図面の簡単な説明】
【００３０】
【図１】本発明に係る電気信号抽出装置の斜視図
【図２】上記電気信号抽出装置の実際の使用時の例を示す斜視図
【図３】上記電気信号抽出装置の使用態様の説明図
【図４】プローブに対する使用態様の他の例を示す斜視図
【図５】上記電気信号抽出装置の使用態様の説明図
【図６】端子の斜視図
【図７】端子の正面図
【図８】端子をプローブのソケットに入れた状態の断面図
【図９】（ａ）（ｂ）はそれぞれ端子構造の他の例の説明図
【符号の説明】
【００３１】
２  保持部材
２ａ  金属筒
３  金属線材
【図１】
2004340956.tif 000003
【図２】
2004340956.tif 000004
【図３】
2004340956.tif 000005
【図４】
2004340956.tif 000006
【図５】
2004340956.tif 000007
【図６】
2004340956.tif 000008
【図７】
2004340956.tif 000009
【図８】
2004340956.tif 000010
【図９】
2004340956.tif 000011